(57)【要約】      （修正有）【課題】効率的で、且つ、継続的な健康管理を容易に行うことが可能な健康管理システムを提供する。【解決手段】記憶手段に事前に入力している当該ユーザの個人データ（年齢、性別、身長、体重等）に応じた健康に良好な食事メニューを、標準的な食事である標準メニューの中から複数選択して表示部に表示可能になっており、表示部に表示された健康に良好な食事メニューの中から選択して食事をした所望の食事メニューを記憶手段に入力すると、食事をした所望の食事メニューに含まれる栄養成分量（カロリー量、複数の栄養素量等）が、摂取栄養成分量として記憶手段に記憶される。【選択図】図１
2006251871.tif 000002
【特許請求の範囲】
【請求項１】
毎回の食事のメニュー内容を入力可能な入力手段と、標準的な食事である標準食事メニューを複数種類事前に入力して記憶させた記憶手段と、この記憶手段に記憶した複数種類の前記標準食事メニューを表示可能な表示部とを備え、
前記記憶手段に事前に入力している当該ユーザの個人データ（年齢、性別、身長、体重等）に応じた健康に良好な食事メニューを、前記標準メニューの中から複数選択して前記表示部に表示可能になっており、
前記表示部に表示された前記良好な食事メニューの中から選択して食事をした所望の前記食事メニューを前記記憶手段に入力すると、食事をした前記所望の食事メニューに含まれる栄養成分量（カロリー量、複数の栄養素量等）が、摂取栄養成分量として前記記憶手段に記憶されることを特徴とする健康管理システム。
【請求項２】
前記記憶手段には、各種の運動の運動量に対応する少なくとも消費カロリー量が入力されており、前記記憶手段に、その日に食事をした前記食事メニューと、その日に行った運動量とを入力すると、
その日に食事をした前記食事メニューに応じた合計摂取カロリー量が算出されると共に、前記運動量に応じて消費した消費カロリー量と事前に入力している当該ユーザの基礎代謝量とを加算した１日の合計消費カロリー量が算出され、
前記合計摂取カロリー量と前記合計消費カロリー量との比較結果が前記表示部に表示されることを特徴とする請求項１記載の健康管理システム。
【請求項３】
前記比較結果が、前記合計消費カロリー量より前記合計摂取カロリー量の方が超過している場合は、その旨が前記表示部に表示されると共に、超過したカロリー量を消費するための所定の前記運動とその運動量とが表示されることを特徴とする請求項２記載の健康管理システム。
【請求項４】
当該ユーザが日々食事をする前記食事メニュー及び前記摂取栄養成分量の履歴データを蓄積可能な制御部を有し、前記履歴データから次ぎの食事で摂取可能な前記栄養成分量を前記制御部で演算し、この演算結果に応じた分量の前記健康に良好な食事メニューが前記表示部に表示されることを特徴とする請求項１乃至３のいずれかに記載の健康管理システム。
【請求項５】
前記健康に良好な食事メニューの中から選択した前記所望の食事メニューの、少なくとも直近の１週間内で食事した回数が所定回数以上ある場合は、その食事メニューに換えて別な前記食事メニューが前記表示部に表示されるようになっていることを特徴とする請求項１乃至４のいずれかに記載の健康管理システム。
【請求項６】
複数の前記良好な食事メニューの中から所望のものを選択すると、この選択した前記食事メニューの少なくとも写真が表示されることを特徴とする請求項１乃至５のいずれかに記載の健康管理システム。
【請求項７】
ヘルスケア機器（血圧計、体脂肪計、体温計等）で測定した健康データ（血圧、体脂肪率、体温等）を前記制御部に送信可能になっており、前記ヘルスケア機器で測定した測定値と、事前に入力している前記個人データに応じた前記健康データの標準値とを前記制御部で比較し、この比較結果が前記表示部に表示可能になっていることを特徴とする請求項１乃至６のいずれかに記載の健康管理システム。
【請求項８】
前記比較結果が、前記標準値より前記測定値の方が超過している場合は、前記表示部にその旨が表示されると共に、超過量に応じて適切な対応策が表示されることを特徴とする請求項７記載の健康管理システム。
【請求項９】
前記入力手段と前記記憶手段と前記表示部とは、携帯可能な端末機器に配設され、前記制御部は、パソコン側に配設され、前記端末機器と前記パソコンとは、前記端末機器に入力した少なくとも健康に関する各種情報が送受信可能になっていることを特徴とする請求項２乃至７のいずれかに記載の健康管理システム。
【請求項１０】
前記パソコンは、サーバーコンピュータに接続され、前記サーバーコンピュータには、複数のユーザからそれぞれ送信された複数の個人情報（前記個人データ、前記健康データ、前記履歴データ等）がそれぞれ蓄積されており、前記サーバーコンピュータに蓄積されている複数の前記個人情報の中から、当該ユーザが目標とする前記健康データに近似する個人ユーザの過去の前記蓄積データにアクセス可能になっていることを特徴とする請求項９記載の健康管理システム。
【請求項１１】
少なくとも体脂肪計からなるヘルスケア機器と、当該ユーザの個人データ（年齢、性別、身長、体重等）が事前に入力されているパソコンとを備え、このパソコンには、前記個人データに応じた少なくとも体脂肪率の標準値が事前に入力されており、前記ヘルスケア機器で測定した少なくとも前記体脂肪率の測定値を前記パソコンに送信可能になっており、前記ヘルスケア機器で日々測定する前記測定値と前記標準値とを前記パソコン側で比較し、この比較結果が前記パソコン側に表示されることを特徴とする健康管理システム。
【請求項１２】
前記比較結果が、前記標準値より前記測定値の方が超過している場合は、その旨が前記パソコン側に表示されると共に、前記測定値を前記標準値に近づけるため前記健康増進策として、少なくとも所定の運動とその運動量が表示されることを特徴とする請求項１１記載の健康管理システム。
【請求項１３】
前記所定の運動は、少なくともウォーキングからなり、ウォーキング時に携帯する歩数計がカウントする歩数を前記パソコン側に送信可能になっており、前記パソコン側に送信した前記歩数に応じて消費カロリー量が演算されると共に、前記消費カロリー量に基づいて前記体脂肪率の削減後の値が演算されて前記パソコン側に表示可能になっていることを特徴とする請求項１２記載の健康管理システム。
【請求項１４】
前記パソコン側に表示された前記削減後の値が、前記標準値より超過している場合は、更なる前記健康増進策が表示されることを特徴とする請求項１３記載の健康管理システム。
【請求項１５】
前記パソコン側には、所定の前動前後に変動する健康データ（血圧、体脂肪率、体温等）の変動許容範囲が前記個人データに応じて入力されており、前記運動前後に前記ヘルスケア機器で測定した前記健康データの測定値を前記パソコンに送信すると、前記パソコン側で前記運動前後の前記健康データの変動量を演算し、前記変動量が前記変動許容範囲を超過している場合は、警告サインが表示されると共に、超過量に応じて適切な対応策が表示されることを特徴とする請求項１２乃至１４のいずれかに記載の健康管理システム。
【請求項１６】
少なくともマッサージチェアからなる疲労回復機器に前記ヘルスケア機器が配設されており、前記運動を行った後に、前記疲労回復機器で疲労回復中に前記ヘルスケア機器で前記健康データを測定可能になっており、前記ヘルスケア機器で測定した測定値を前記パソコン側に送信すると、前記運動前後の前記健康データの変動量が演算可能になっているいることを特徴とする請求項１５記載の健康管理システム。
【請求項１７】
市販されている食品には、少なくとも栄養成分量（カロリー量、複数の栄養素量）等の食品情報を書き込みしたＩＣタグを貼付し、前記ＩＣタグに書き込まれた前記食品情報を読み込み可能な端末機器を有し、この端末機器には、事前に当該ユーザの健康データ（血圧、体脂肪率、体温等）が入力されており、前記端末機器で購入予定の前記食品の食品情報を読み込むと、少なくとも前記健康データに対応して、前記食品を用いた推奨料理メニュー及びこのレシピが前記端末機器に表示されることを特徴とする健康管理システム。
【請求項１８】
飲み物を注入したペットボトルには、前記飲み物の重量を書き込みした前記ＩＣタグが貼付され、前記ペットボトルを保存する冷蔵庫の所定位置には、保存した前記ペットボトルの重量を測定可能な重量計と、この重量計で測定した前記重量を前記端末機器に送信可能な送信部とが配設され、
前記ＩＣタグに書き込まれている前記重量は、前記冷蔵庫に収納前に前記端末機器に読み込みされ、開封後に前記飲み物が所定量が残っている前記ペットボトルを前記冷蔵庫の前記所定位置に収納すると、前記重量計で前記ペットボトルの現在の重量が測定され、この重量が前記送信部で前記端末機器に送信され、前記ペットボトルの飲み物の摂取量が前記端末機器側で演算されて表示されることを特徴とする請求項１７記載の健康管理システム。
【請求項１９】
通常の成人が１日に必要とする水分量は、１日に食べる食事に含まれている水分以外に、所定量の必須水分量が必要であり、前記端末機器には、前記ペットボトルの飲み物の摂取量だけでなく、前記食事以外の嗜好品（コーヒ、紅茶等）の摂取量も入力可能になっており、前記ペットボトルの飲み物の１日の摂取量と前記嗜好品等の１日の摂取量との合計水分摂取量と、前記必須水分量とを前記端末機器側で比較して、前記必須水分量に対して前記合計水分摂取量の方が不足している場合は、その不足分が端末機器側に表示されると共に、水分摂取を促す表示がされることを特徴とする請求項１８記載の健康管理システム。
【発明の詳細な説明】
【技術分野】
【０００１】
本発明は健康管理システムに係わり、特に、日常の食生活、あるいは運動不足等に起因して発生する生活習慣病等を予防することが可能な健康管理システムに関する。
【背景技術】
【０００２】
近年、高血圧症、高脂血症、糖尿病等の生活習慣病が急増しているが、これらの生活習慣病は、日常の不適切な食生活、あるいは運動不足、過度のストレス等が起因している。
そして、公知となっている従来の健康管理システムは、当該ユーザの個人データとして、毎回の食事のメニュー内容・カロリー摂取量、体重、身長、運動量等を記憶・学習し、当該ユーザーにとって最適なカロリー量、栄養バランスからなる食事メニューをアドバイスするシステムが知られている（特許文献１）。
さらに、上記のように当該ユーザーの個人データに基づいて、最適な食事メニュー、あるいは最適なカロリー摂取量を提示するシステムにおいて、当該システムを通じた健康管理の精度がより高まるように、例えば血圧、体温等の当該ユーザの健康情報を逐次送信可能な携帯用子機と、子機から送信される多様な健康情報に基づいて、当該ユーザの最適な食事メニューを設定する親機とから構成されるシステムが知られている（特許文献２）。
【特許文献１】特開平０５−１０１０７５号公報
【特許文献２】特開平０８−３０８８２０号公報）
【発明の開示】
【発明が解決しようとする課題】
【０００３】
しかし、前述したような特許文献１または２に記載された従来の健康管理システムでは、当該システムの提示する食事メニューの内容に当該ユーザーの嗜好が必ずしも反映されない。
このため、従来の健康管理システムを利用するユーザーにとって、当該システムを用いた健康管理を継続する意欲が失われて長続きしにくいという問題があった。
そこで本発明は、前述のような課題を解決して、効率的で、且つ、継続的な健康管理を容易に行うことが可能な健康管理システムを提供することを目的とする。
【課題を解決するための手段】
【０００４】
上記課題を解決するための第１の解決手段として本発明の健康管理システムは、毎回の食事のメニュー内容を入力可能な入力手段と、標準的な食事である標準食事メニューを複数種類事前に入力して記憶させた記憶手段と、この記憶手段に記憶した複数種類の前記標準食事メニューを表示可能な表示部とを備え、
前記記憶手段に事前に入力している当該ユーザの個人データ（年齢、性別、身長、体重等）に応じた健康に良好な食事メニューを、前記標準メニューの中から複数選択して前記表示部に表示可能になっており、
前記表示部に表示された前記良好な食事メニューの中から選択して食事をした所望の前記食事メニューを前記記憶手段に入力すると、食事をした前記所望の食事メニューに含まれる栄養成分量（カロリー量、複数の栄養素量等）が、摂取栄養成分量として前記記憶手段に記憶されることを特徴とする。
また、上記課題を解決するための第２の解決手段として、前記記憶手段には、各種の運動の運動量に対応する少なくとも消費カロリー量が入力されており、前記記憶手段に、その日に食事をした前記食事メニューと、その日に行った運動量とを入力すると、
その日に食事をした前記食事メニューに応じた合計摂取カロリー量が算出されると共に、前記運動量に応じて消費した消費カロリー量と事前に入力している当該ユーザの基礎代謝量とを加算した１日の合計消費カロリー量が算出され、
前記合計摂取カロリー量と前記合計消費カロリー量との比較結果が前記表示部に表示されることを特徴とする。
また、上記課題を解決するための第３の解決手段として、前記比較結果が、前記合計消費カロリー量より前記合計摂取カロリー量の方が超過している場合は、その旨が前記表示部に表示されると共に、超過したカロリー量を消費するための所定の前記運動とその運動量とが表示されることを特徴とする。
【０００５】
また、上記課題を解決するための第４の解決手段として、当該ユーザが日々食事をする前記食事メニュー及び前記摂取栄養成分量の履歴データを蓄積可能な制御部を有し、前記履歴データから次ぎの食事で摂取可能な前記栄養成分量を前記制御部で演算し、この演算結果に応じた分量の前記健康に良好な食事メニューが前記表示部に表示されることを特徴とする。
また、上記課題を解決するための第５の解決手段として、前記健康に良好な食事メニューの中から選択した前記所望の食事メニューが、少なくとも直近の１週間内で食事した回数が所定回数以上ある場合は、その食事メニューに換えて別な前記食事メニューが前記表示部に表示されるようになっていることを特徴とする。
【０００６】
また、上記課題を解決するための第６の解決手段として、複数の前記良好な食事メニューの中から所望のものを選択すると、この選択した前記食事メニューの少なくとも写真が表示されることを特徴とする。
また、上記課題を解決するための第７の解決手段として、ヘルスケア機器（血圧計、体脂肪計、体温計等）で測定した健康データ（血圧、体脂肪率、体温等）を前記制御部に送信可能になっており、前記ヘルスケア機器で測定した測定値と、事前に入力している前記個人データに応じた前記健康データの標準値とを前記制御部で比較し、この比較結果が前記表示部に表示可能になっていることを特徴とする。
また、上記課題を解決するための第８の解決手段として、前記比較結果が、前記標準値より前記測定値の方が超過している場合は、前記表示部にその旨が表示されると共に、超過量に応じて適切な対応策が表示されることを特徴とする。
【０００７】
また、上記課題を解決するための第９の解決手段として、前記入力手段と前記記憶手段と前記表示部とは、携帯可能な端末機器に配設され、前記制御部は、パソコン側に配設され、前記端末機器と前記パソコンとは、前記端末機器に入力した少なくとも健康に関する各種情報が送受信可能になっていることを特徴とする。
また、上記課題を解決するための第１０の解決手段として、前記パソコンは、サーバーコンピュータに接続され、前記サーバーコンピュータには、複数のユーザからそれぞれ送信された複数の個人情報（前記個人データ、前記健康データ、前記履歴データ等）がそれぞれ蓄積されており、前記サーバーコンピュータに蓄積されている複数の前記個人情報の中から、当該ユーザが目標とする前記健康データに近似する個人ユーザの過去の前記蓄積データにアクセス可能になっていることを特徴とする。
【０００８】
また、上記課題を解決するための第１１の解決手段として、少なくとも体脂肪計からなるヘルスケア機器と、当該ユーザの個人データ（年齢、性別、身長、体重等）が事前に入力されているパソコンとを備え、このパソコンには、前記個人データに応じた少なくとも体脂肪率の標準値が事前に入力されており、前記ヘルスケア機器で測定した少なくとも前記体脂肪率の測定値を前記パソコンに送信可能になっており、前記ヘルスケア機器で日々測定する前記測定値と前記標準値とを前記パソコン側で比較し、この比較結果が前記パソコン側に表示されることを特徴とする。
また、上記課題を解決するための第１２の解決手段として、前記比較結果が、前記標準値より前記測定値の方が超過している場合は、その旨が前記パソコン側に表示されると共に、前記測定値を前記標準値に近づけるため前記健康増進策として、少なくとも所定の運動とその運動量が表示されることを特徴とする。
また、上記課題を解決するための第１３の解決手段として、前記所定の運動は、少なくともウォーキングからなり、ウォーキング時に携帯する歩数計がカウントする歩数を前記パソコン側に送信可能になっており、前記パソコン側に送信した前記歩数に応じて消費カロリー量が演算されると共に、前記消費カロリー量に基づいて前記体脂肪率の削減後の値が演算されて前記パソコン側に表示可能になっていることを特徴とする。
【０００９】
また、上記課題を解決するための第１４の解決手段として、前記パソコン側に表示された前記削減後の値が、前記標準値より超過している場合は、更なる前記健康増進策が表示されることを特徴とする。
また、上記課題を解決するための第１５の解決手段として、前記パソコン側には、所定の前動前後に変動する健康データ（血圧、体脂肪率、体温等）の変動許容範囲が前記個人データに応じて入力されており、前記運動前後に前記ヘルスケア機器で測定した前記健康データの測定値を前記パソコンに送信すると、前記パソコン側で前記運動の前後の前記健康データの変動量を演算し、前記変動量が前記変動許容範囲を超過している場合は、警告サインが表示されると共に、超過量に応じて適切な対応策が表示されることを特徴とする。
また、上記課題を解決するための第１６の解決手段として、少なくともマッサージチェアからなる疲労回復機器に前記ヘルスケア機器が配設されており、前記運動を行った後に、前記疲労回復機器で疲労回復中に前記ヘルスケア機器で前記健康データを測定可能になっており、前記ヘルスケア機器で測定した測定値を前記パソコン側に送信すると、前記運動前後の前記健康データの変動量が演算可能になっているいることを特徴とする。
【００１０】
また、上記課題を解決するための第１７の解決手段として、市販されている食品には、少なくとも栄養成分量（カロリー量、複数の栄養素量）等の食品情報を書き込みしたＩＣタグを貼付し、前記ＩＣタグに書き込まれた前記食品情報を読み込み可能な端末機器を有し、この端末機器には、事前に当該ユーザの健康データ（血圧、体脂肪率、体温等）が入力されており、前記端末機器で購入予定の前記食品の食品情報を読み込むと、少なくとも前記健康データに対応して、前記食品を用いた推奨料理メニュー及びこのレシピが前記端末機器に表示されることを特徴とする。
また、上記課題を解決するための第１８の解決手段として、飲み物を注入したペットボトルには、前記飲み物の重量を書き込みした前記ＩＣタグが貼付され、前記ペットボトルを保存する冷蔵庫の所定位置には、保存した前記ペットボトルの重量を測定可能な重量計と、この重量計で測定した前記重量を前記端末機器に送信可能な送信部とが配設され、
前記ＩＣタグに書き込まれている前記重量は、前記冷蔵庫に収納前に前記端末機器に読み込みされ、開封後に前記飲み物が所定量が残っている前記ペットボトルを前記冷蔵庫の前記所定位置に収納すると、前記重量計で前記ペットボトルの現在の重量が測定され、この重量が前記送信部で前記端末機器に送信され、前記ペットボトルの飲み物の摂取量が前記端末機器側で演算されて表示されることを特徴とする。
また、上記課題を解決するための第１９の解決手段として、通常の成人が１日に必要とする水分量は、１日に食べる食事に含まれている水分以外に、所定量の必須水分量が必要であり、前記端末機器には、前記ペットボトルの飲み物の摂取量だけでなく、前記食事以外の嗜好品（コーヒ、紅茶等）の摂取量も入力可能になっており、前記ペットボトルの飲み物の１日の摂取量と前記嗜好品等の１日の摂取量との合計水分摂取量と、前記必須水分量とを前記端末機器側で比較して、前記必須水分量に対して前記合計水分摂取量の方が不足している場合は、その不足分が端末機器側に表示されると共に、水分摂取を促す表示がされることを特徴とする。
【発明の効果】
【００１１】
本発明は、表示部に表示された健康に良好な食事メニューの中から選択して食事をした所望の食事メニューを記憶手段に入力すると、食事をした所望の食事メニューに含まれる栄養成分量（カロリー量、複数の栄養素量等）が、摂取栄養成分量として記憶手段に記憶されるので、健康に良好な食事メニューの中から当該ユーザの嗜好にあった食事メニューを食事でき、健康管理を継続させようとする意欲を長続きさせることができる。
そのために、日々の摂取栄養成分量を健康に良好な範囲に押さえることができ、健康な身体を長く維持できる。
また、記憶手段には、各種の運動の運動量に対応する少なくとも消費カロリー量が入力されており、記憶手段に、その日に食事をした食事メニューと、その日に行った運動量とを入力すると、
その日に食事をした食事メニューに応じた合計摂取カロリー量が算出されると共に、運動量に応じて消費した消費カロリー量と事前に入力している当該ユーザの基礎代謝量とを加算した１日の合計消費カロリー量が算出され、
合計摂取カロリー量と合計消費カロリー量との比較結果が記表示部に表示される
ので、この比較結果に対応して適切な健康増進策を実行できる。
また、比較結果が、合計消費カロリー量より合計摂取カロリー量の方が超過している場合は、その旨が表示部に表示されると共に、超過したカロリー量を消費するための所定の運動とその運動量とが表示されるので、表示された運動と運動量を実行することで、標準値よりも超過したカロリー量を確実に消費することができる。
【００１２】
また、当該ユーザが日々食事をする食事メニュー及び摂取栄養成分量の履歴データを蓄積可能な制御部を有し、この履歴データから次ぎの食事で摂取可能な栄養成分量を制御部で演算し、この演算結果に応じた分量の健康に良好な食事メニューが表示部に表示されるので、更に、健康管理の意欲を長続きさせることができる。
また、健康に良好な食事メニューの中から選択した前記所望の食事メニューが、少なくとも直近の１週間内で食事した回数が所定回数以上ある場合は、その食事メニューに換えて別な前記食事メニューが前記表示部に表示されるようになっているので、食事内容が片寄るのを防止できる。
また、複数の良好な食事メニューの中から所望のものを選択すると、この選択した食事メニューの少なくとも写真が表示されるので、当該ユーザが食べたい食事メニューを間違いなく選択することができる。
【００１３】
また、ヘルスケア機器（血圧計、体脂肪計、体温計等）で測定した健康データ（血圧、体脂肪率、体温等）を制御部に送信可能になっており、ヘルスケア機器で測定した測定値と、事前に入力している個人データに応じた健康データの標準値とを制御部で比較し、この比較結果が表示部に表示可能になっているので、健康データの測定値と標準値との比較結果に対応して適切な健康増進策を実行できる。
また、比較結果が、標準値より測定値の方が超過している場合は、表示部にその旨が表示されると共に、超過量に応じて適切な対応策が表示されるので、表示される適切な対応策を実行することで、正常な健康データを維持できる。
【００１４】
また、入力手段と記憶手段と表示部とは、携帯可能な端末機器に配設され、制御部は、パソコン側に配設され、端末機器とパソコンとは、端末機器に入力した少なくとも健康に関する各種情報が送受信可能になっているので、容量の小さな端末機器に１日分の健康情報が入力すると、この健康情報を容量の大きなパソコン側に送信して無理なく処理することができる。
また、パソコンは、サーバーコンピュータに接続され、このサーバーコンピュータには、複数のユーザからそれぞれ送信された複数の個人情報（前記個人データ、前記健康データ、前記履歴データ等）がそれぞれ蓄積されており、前記サーバーコンピュータに蓄積されている複数の個人情報の中から、当該ユーザが目標とする健康データに近似する個人ユーザの過去の蓄積データにアクセス可能になっているので、個人ユーザの履歴データの少なくとも食事メニューを参考にして、当該ユーザが目標とする正常な例えば血圧に近づけることができる。
【００１５】
また、パソコンには、個人データに応じた少なくとも体脂肪率の標準値が事前に入力されており、ヘルスケア機器で測定した少なくとも体脂肪率の測定値をパソコンに送信可能になっており、ヘルスケア機器で日々測定する測定値と標準値とをパソコン側で比較し、この比較結果が前記パソコン側に表示されるので、比較結果に対応して適切な健康増進策を実行することができる。
また、比較結果が、標準値より測定値の方が超過している場合は、その旨がパソコン側に表示されると共に、測定値を標準値に近づけるため健康増進策として、少なくとも所定の運動とその運動量が表示されるので、表示された運動と運動量を実行することで、標準値よりも超過した体脂肪率を確実に低減して健康増進することができる。
また、所定の運動は、少なくともウォーキングからなり、ウォーキング時に携帯する歩数計がカウントする歩数をパソコン側に送信可能になっており、パソコン側に送信した歩数に応じて消費カロリー量が演算されると共に、消費カロリー量に基づいて体脂肪率の削減後の値が演算されてパソコン側に表示可能になっているので、表示される体脂肪率の削減後の値に応じてウォーキングの歩数を増減させることができ、健康増進の意欲向上につなげることができる。
【００１６】
また、パソコン側に表示された削減後の値が、標準値より超過している場合は、更なる健康増進策が表示されるので、更に健康増進の意欲を向上できる。
また、パソコン側には、所定の運動前後に変動する健康データ（血圧、体脂肪率、体温等）の変動許容範囲が個人データに応じて入力されており、運動前後にヘルスケア機器で測定した健康データの測定値をパソコンに送信すると、パソコン側で運動前後の健康データの変動量を演算し、この変動量が変動許容範囲を超過している場合は、警告サインが表示されると共に、超過量に応じて適切な対応策が表示されるので、警告サインが表示されると運動を自粛すると共に、表示された適切な対応策に従って行動することで、例えば高血圧症による発生する種々の病気を事前に予防することができる。
また、少なくともマッサージチェアからなる疲労回復機器にヘルスケア機器が配設されており、運動を行った後に、疲労回復機器で疲労回復中にヘルスケア機器で健康データを測定可能になっており、ヘルスケア機器で測定した測定値をパソコン側に送信すると、運動前後の健康データの変動量が演算可能になっているので、疲労回復中に各種の健康データを測定でき、時間の有効活用ができる。
【００１７】
また、市販されている食品には、少なくとも栄養成分量（カロリー量、複数の栄養素量）等の食品情報を書き込みしたＩＣタグを貼付し、このＩＣタグに書き込まれた食品情報を読み込み可能な端末機器を有し、この端末機器には、事前に当該ユーザの健康データ（血圧、体脂肪率、体温等）が入力されており、端末機器で購入予定の食品の食品情報を読み込むと、少なくとも健康データに対応して、購入予定の食品を用いた推奨料理メニュー及びこのレシピが前記端末機器に表示されるので、当該ユーザの健康データに応じた推奨料理メニューをレシピに従って容易に調理することができる。
また、飲み物を注入したペットボトルには、飲み物の重量を書き込みしたＩＣタグが貼付され、ペットボトルを保存する冷蔵庫の所定位置には、保存したペットボトルの重量を測定可能な重量計と、この重量計で測定した重量を端末機器に送信可能な送信部とが配設され、
ＩＣタグに書き込まれている重量は、冷蔵庫に収納前に端末機器に読み込みされ、開封後に飲み物が所定量が残っているペットボトルを冷蔵庫の所定位置に収納すると、重量計でペットボトルの現在の重量が測定され、この重量が送信部で端末機器に送信され、ペットボトルの飲み物の摂取量が端末機器側で演算されて表示されるので、ペットボトルの飲み物の１日に飲んだ量を把握して、摂取水分量が不足している場合は、追加して摂取することができる。
また、通常の成人が１日に必要とする水分量は、１日に食べる食事に含まれている水分以外に、所定量の必須水分量が必要であり、端末機器には、ペットボトルの飲み物の摂取量だけでなく、食事以外の嗜好品（コーヒ、紅茶等）の摂取量も入力可能になっており、ペットボトルの飲み物の１日の摂取量と嗜好品等の１日の摂取量との合計水分摂取量と、必須水分量とを端末機器側で比較して、必須水分量に対して合計水分摂取量の方が不足している場合は、その不足分が端末機器側に表示されると共に、水分摂取を促す表示がされるので、その日の不足水分量を確実に補って、健康維持を計ることができる。
【発明を実施するための最良の形態】
【００１８】
本発明の健康管理システムを図面に基づいて説明する。図１は本発明の第１の実施の形態を説明するブロック図であり、図２は本発明の第２の実施の形態を説明するブロック図であり、図３は本発明の第３の実施の形態を説明するブロック図である。
【００１９】
近年、急増している生活習慣に起因する高血圧症、高脂血症、糖尿病等の生活習慣病は、日常の生活習慣を改善することで、病院で発見あるいは治療に至る前に予防できる可能性が大である。
そして、生活習慣病を予防するための本発明の第１の実施の形態の健康管理システムとして、健康に良好な食事コントロールシステムを説明すると、携帯電話等からなる端末機器（図示せず）と、この端末機器と双方向通信が可能なパソコン（図示せず）とを有し、端末機器には、毎回の食事のメニュー内容を入力可能な複数の入力ボタンからなるの入力手段と、標準的な食事である標準食事メニューを複数種類事前に入力して記憶させた記憶手段とが配設されている。
更に、端末機器には、記憶手段に記憶した複数種類の標準食事メニューを表示可能な表示部が形成されている。
【００２０】
前記記憶手段には、標準食事メニューに含まれている栄養成分量（カロリー量及び複数の栄養素等）と、当該ユーザの個人データ（年齢、性別、身長、体重等）も入力されている。
また、標準食事メニューの中から、当該ユーザの個人データ（年齢、性別、身長、体重等）に応じて健康に良好な食事メニューを複数選択して表示部に表示されるようになっている。
そして、表示部に表示された健康に良好な複数の食事メニューの中から選択して食事をした所望の食事メニューを記憶手段に入力すると、食事をした所望の食事メニューに含まれる栄養成分量（カロリー量、複数の栄養素等）が、摂取栄養成分量として表示部に表示されると共に記憶手段に記憶される。
【００２１】
また、記憶手段には、各種の運動（ウォーキング、ランニング等）の運動量に対応する少なくとも消費カロリー量が入力されている。
当該ユーザは、食事をした食事メニューと、その日に行った運動の運動量、例えばウォーキングの歩行数とをその都度入力手段で記憶手段に入力する。
そして、当該ユーザが例えば就寝前に、記憶手段に入力した、その日に食事した全ての食事メニューと運動量等の健康情報をパソコンに送信すると、パソコン側の制御部で、その日に食事をした食事メニューに応じた１日の合計摂取カロリー量が算出される。
【００２２】
更に、運動量であるウォーキングの歩行数に応じて消費した消費カロリー量と、事前に入力している当該ユーザの基礎代謝量とを加算して１日の合計消費カロリー量が算出され、合計摂取カロリー量と合計消費カロリー量との比較結果が端末機器側の表示部に表示される。
そして、比較結果が、合計消費カロリー量より合計摂取カロリー量の方が超過している場合は、表示部にその旨が表示されると共に、超過したオーバーカロリー量に対応する所定の運動とその運動量とが表示される。
当該ユーザは、就寝前、または翌日に、表示された運動量を実行することで、超過したオーバーカロリー量を消化することができる。
そのために、体脂肪率の増加を抑えて生活習慣病等の発症を予防できると共に、既に発症しているユーザは、その病気の進行をストップさせることも可能である。
【００２３】
また、端末機器と双方向通信可能なパソコン側の制御部には、少なくとも当該ユーザが毎回食事をした健康に良好な食事メニューの日々の履歴を履歴データとして蓄積可能になっている。
そして、制御部に蓄積された履歴データから、当該ユーザが次の食事で摂取可能な栄養成分量が演算され、この演算結果に応じた健康に良好な食事メニューが表示部に複数表示されるようになっている。
【００２４】
また、通常の人は、食事に好き嫌いがあり、好きな食事だけを続けて食べる偏食のおそれがある。本発明は、偏食を防止するために、表示部に表示された健康に良好な食事メニューの中から選択したものが、少なくとも直近の１週間内で食事した回数が所定回数以上ある場合は、その食事メニューに換えて別な健康に良好な食事メニューが表示部に表示されるようになっている。
そのために、当該ユーザの偏食を防止して栄養の片寄り等により発生する生活習慣病を予防できる。
【００２５】
また、表示部には、複数の健康に良好な食事メニューの中から所望のものを選択すると、この選択した食事メニューの少なくとも写真が表示されるようになっているので、選択した食事メニューがどのようなものかを把握できる。
また、制御部には、当該ユーザの健康データ（血圧、体脂肪率、体温等）を測定可能なヘルスケア機器（血圧計、体脂肪計、体温計等）で測定した測定値が送信可能になっている。
そして、ヘルスケア機器で測定した測定値と、事前に入力している当該ユーザの個人データ（年齢、性別、身長、体重等）に応じた健康データの標準値とを制御部で比較し、この比較結果が表示部に表示可能になっている。
例えば、血圧計で測定した当該ユーザの血圧の測定値と、当該ユーザに応じた血圧の標準値とを比較することができる。
【００２６】
前記比較結果が、標準値より測定値の方が超過している場合は、表示部にその旨が表示されると共に、超過量に応じて適切な対応策が表示される。
前記対応策は、超過した健康データによって異なり、例えば血圧が超過している場合は、超過している血圧に応じて塩分を控えた食事メニュー、あるいは適度な運動等が表示部に表示される。
また、体脂肪率が超過している場合は、超過している体脂肪率に応じてカロリー量を制限した食事メニュー、あるいは適度な運動等が表示部に表示されるようになっている。
【００２７】
尚、本発明の第１の実施の形態では、入力手段、記憶手段、表示部を端末機器側に配設し、制御部をパソコン側に配設したもので説明したが、パソコンを用いずに端末機器だけで処理するようにしたものでも良い。
また、本発明は、パソコン側にサーバーコンピュータが接続され、膨大な情報を高速処理可能なサーバーコンピュータに、複数の個人ユーザのパソコンから送信された複数の個人情報（個人データ、健康データ、履歴データ等）がそれぞれ入力されて蓄積されている。
そして、サーバーコンピュータに蓄積されている複数の個人ユーザーの個人情報の蓄積データの中から、当該ユーザが目標とする健康データに近似した健康データを有する個人ユーザの蓄積データにアクセス可能になっている。
【００２８】
前記選択された当該ユーザの個人情報に近似したデータを有する個人ユーザの個人名等は、プライバシー保護の目的から表示されないようになっている。
そして、当該ユーザが目標とする健康データが、例えば体脂肪率２０％だとすると、体脂肪率が２０％に近似した個人ユーザの蓄積データにアクセスして、その個人ユーザの過去の蓄積データの中の少なくとも食事メニューをチエックすることで、当該ユーザが目標とする体脂肪率２０％に近づけるための参考とすることができる。
【００２９】
また、本発明の第２の実施の形態の健康管理システムを、図２に基づいて説明すると、少なくとも体脂肪計（図示せず）からなるヘルスケア機器と、当該ユーザの個人データ（年齢、性別、身長、体重等）が事前に入力されているパソコン（図示せず）とが配設されている。
また、パソコンには、個人データに応じた少なくとも体脂肪率の標準値が事前に入力されており、体脂肪計で測定した少なくとも体脂肪率の測定値をパソコンに送信可能になっている。
前記ヘルスケア機器は、体脂肪計だけでなく体重計、血圧計等があり、これらが測定する体重、血圧等の健康データをパソコンに送信可能になっている。
【００３０】
そして、体脂肪計で日々測定する少なくとも体脂肪率の測定値と標準値とをパソコン側で比較し、この比較結果がパソコン側に表示されるようになっている。
前記比較結果が、標準値より測定値の方が超過している場合は、その旨がパソコン側に表示されると共に、測定値を標準値に近づけるための健康増進策として、少なくとも所定の運動とその運動量とがパソコン側に表示されるようになっている。前記所定の運動は、少なくとも所定の距離を所定速さで歩くウォーキングからなり、このウォーキング時に携帯する歩数計がカウントする歩数を、パソコン側に送信可能になっている。
【００３１】
そして、パソコン側に送信した歩数に応じて、パソコン側の制御部で消費カロリー量が演算されると共に、この消費カロリー量に基づいて体脂肪率の削減後の値が演算されてパソコン側に表示される。
前記パソコン側に表示された体脂肪率の削減後の値が、個人データに対応する標準値より超過している場合は、更なる健康増進策が表示されて、体脂肪率削減に励むよう督促される。
【００３２】
また、パソコン側の制御部には、運動前後に変動する健康データ（血圧、体脂肪率、体温等）の変動許容範囲が年齢等の個人データに応じて入力されている。
そして、所定の運動前後にヘルスケア機器で測定した健康データの測定値、例えば血圧計で測定した所定の血圧をパソコンに送信すると、パソコン側の制御部で運動前後の健康データの変動量である血圧の変動量が演算される。
前記変動量が事前に入力している変動許容範囲を超過している場合は、その旨の警告サインが表示部に表示される。
また、同時に、血圧を下げるための適切な対応策、例えば急激な運動を行わないこと、あるいは塩分等を控えた健康に良好な食事メニューを取ること等が表示される。
【００３３】
また、少なくともマッサージチェアからなる疲労回復機器に、例えば血圧計からなるヘルスケア機器が配設されており、所定の運動を行った後に、疲労回復機器で疲労回復中に血圧計で健康データである血圧が測定可能になっている。
そして、疲労回復機器側のヘルスケア機器で測定した、例えば血圧の測定値を、パソコン側に送信すると、運動前後の健康データの変動量が演算されるようになっている。
そのために、運動後に疲れた身体を疲労回復機器に横たえて安静状態で血圧を測ることができ、正確な血圧データを採取できる。
さらに、疲労回復機器で疲労を取っている時に血圧が測れるので、時間を有効利用できる。
【００３４】
また、本発明の第３の実施の形態の健康管理システムを図３に基づいて説明すると、市販されている例えば加工食品には、栄養表示基準制度により、その食品に含まれている栄養成分量（カロリー量、各種の栄養素量）を表示しなければいけなくなっている。
そのために、全ての加工食品には、含まれる栄養成分量が表示されているが、本発明は、少なくとも栄養成分量等の食品情報を書き込みしたＩＣタグを食品に貼付し、このＩＣタグに書き込まれている食品情報を読み込み可能な携帯電話等の端末機器が配設されている。
【００３５】
前記ＩＣタグは、ＩＣチップとアンテナとが一体化されたされており、例えばＪＲが利用しているプリペイドカード機能を持つ非接触式の「ＳＵＩＣＡ」（登録商標）等がこれに該当し、基本的にはバーコードに代わるものである。
そして、ＩＣチップは、バーコードよりも多くの情報を書き込みでき、その食品に含まれる栄養成分量だけでなく、価格、あるいは産地情報、あるいはこの食品を用いた料理メニューのレシピ等が書き込み可能になっている。
【００３６】
また、ＩＣタグの食品情報を読み込み可能な端末機器には、事前に当該ユーザの健康データ（血圧、体脂肪率、体温等）が入力されている。
そして、端末機器で、購入予定の食品のＩＣタグに書き込まれている食品情報を読み込むと、少なくとも当該ユーザの健康データに対応して、購入予定の食品を用いた推奨料理メニュー及びこのレシピが端末機器の表示部に表示されるようになっている。
【００３７】
即ち、現在の健康データの中で血圧が所定値よりも高い高血圧症の人の場合だと、高血圧症に対応した塩分少な目の推奨料理メニューが表示される。
そして、推奨料理メニューの中で自分が食べたいものがあれば、その食品を購入して、表示されたレシピに沿って調理することで塩分少な目の推奨料理メニューが作れ、この推奨料理メニューを食事することで、血圧が上昇するのを予防できて、高血圧症等が要因の動脈硬化等の病気の発生を予防することができる。
【００３８】
また、人間の身体は、略６０％が水分でできており、この水分を１０％失うだけで、例えば血液が濃くなって血流が悪くなり、脳血栓のような人命に関わる病気になるおそれがある。
このような水分不足により発生する病気を予防するために、本発明は、飲み物を封入したペットボトルに、飲み物の重量を書き込みしたＩＣタグが貼付されている。
そして、冷蔵庫のペットボトルを収納する所定位置には、ペットボトルの重量を測定可能な重量計と、この重量計で測定したペットボトルの重量を端末機器に送信可能な送信部とが配設されている。
前記ＩＣタグに書き込まれている開封前のペットボトルの重量は、冷蔵庫に収納前に、端末機器に読み込みされている。
そして、当該ユーザがペットボトルを開封して内部の飲み物を飲んだ後、所定量飲み物が残っているペットボトルを冷蔵庫の所定位置に収納すると、冷蔵庫側の重量計でペットボトルの現在の重量が測定される。
【００３９】
前記重量計で測定した現在のペットボトルの重量は、送信部で端末機器に送信され、端末機器側でペットボトルの飲み物の摂取量が演算されて表示される。
そして、健康で平均的な成人が１日に必要とする水分量は、１日に食べる食事に含まれて摂取する水分以外に、所定量の必須水分量（例えば略２リットル）が必要といわれている。
また、端末機器には、ペットボトルの飲み物の摂取量だけでなく、コーヒ、紅茶等の食事以外の嗜好品等の水分の摂取量も入力可能になっている。
【００４０】
そして、冷蔵庫の重量計で測定するペットボトルの飲み物の１日の摂取量と嗜好品等の水分の１日の摂取量との合計水分摂取量と、略２リットルの必須水分量とを端末機器側で比較して、必須水分量より合計水分摂取量の方が不足している場合は、その不足分が端末機器側に表示されるとともに、水分摂取を促す表示がされる。
更に、端末機器に気圧計を組み込むことにより、気圧の変動により発生する可能性のある自律神経失調症等を事前に予防することも可能である。
また、花粉センサを組み込むことにより、花粉の飛散量を知って、飛散量に対応した花粉症対策を行うことができる。
【図面の簡単な説明】
【００４１】
【図１】本発明の第１の実施の形態を説明するブロック図である。
【図２】本発明の第２の実施の形態を説明するブロック図である。
【図３】本発明の第３の実施の形態を説明するブロック図である。
【図１】
2006251871.tif 000003
【図２】
2006251871.tif 000004
【図３】
2006251871.tif 000005